(57)【要約】【課題】ドライブに冷却用ファンを配設しなくても十分な冷却効果が得られ、外部から塵埃が侵入する恐れもないディスクドライブ冷却装置を提供する。【解決手段】ディスクドライブを冷却するための冷却手段として、光ディスクと略同形状のドライブ冷却用ディスク２０を用いる。ドライブ冷却用ディスク２０は、内部に保冷材２２が内蔵されているとともに、裏側に羽根部２３が形成されている。ドライブ内部が高温になると、アクセスランプを点滅させて報知し、ドライブ冷却用ディスク２０をドライブに装填すると、モータが駆動されてドライブ冷却用ディスク２０が回転する。この回転により冷たい空気流が発生し、モータや光ピックアップなどの熱源が冷却される。【選択図】    図２
2004265556.tif 000002
【特許請求の範囲】
【請求項１】
光ピックアップの発光素子から光ビームを照射することにより光ディスクに対して情報の記録再生を行うディスクドライブを冷却するための装置であって、
ディスクドライブを冷却するための冷却手段として、当該ドライブで記録再生される光ディスクと略同形状のドライブ冷却用ディスクが用いられ、このドライブ冷却用ディスクは、内部に保冷材が内蔵されているとともに、表面に羽根部が形成されており、
前記ディスクドライブは、前記光ピックアップにおける発光素子の近傍に設けられた光ビームパワー制御用の温度センサと、光ディスクへのアクセス中であることを表示するアクセスランプと、前記温度センサの測定値に基づき前記アクセスランプの表示を制御するとともに、前記ドライブ冷却用ディスクの回転を制御する制御手段と、を備え、
前記制御手段は、温度センサの測定値から得られる現在温度と初期温度との温度差が所定値以上になったときに当該温度差に応じた態様でアクセスランプを点滅もしくは点灯させ、ディスクドライブに装填されたドライブ冷却用ディスクを回転させてディスクドライブを冷却し、前記温度差が所定値未満になったときにドライブ冷却用ディスクの回転を停止させて冷却を終了することを特徴とするディスクドライブ冷却装置。
【請求項２】
光ディスクに対して情報の記録再生を行うディスクドライブを冷却するための装置であって、
ディスクドライブを冷却するための冷却手段として、当該ドライブで記録再生される光ディスクと略同形状のドライブ冷却用ディスクが用いられ、このドライブ冷却用ディスクには保冷材が設けられており、
前記ディスクドライブは、内部に設けられた温度センサと、ドライブ内の温度上昇を報知する表示素子と、前記温度センサの測定値に基づき前記表示素子の表示を制御するとともに、ドライブ冷却用ディスクの回転を制御する制御手段と、を備え、
前記制御手段は、温度センサの測定値に基づきディスクドライブ内部の温度が一定以上になると表示素子を点滅もしくは点灯させ、ディスクドライブに装填されたドライブ冷却用ディスクを回転させてディスクドライブを冷却することを特徴とするディスクドライブ冷却装置。
【請求項３】
請求項２に記載のディスクドライブ冷却装置において、
前記温度センサは、光ピックアップにおける発光素子の近傍に設けられた光ビームパワー制御用の温度センサであることを特徴とするディスクドライブ冷却装置。
【請求項４】
請求項２または請求項３に記載のディスクドライブ冷却装置において、
前記表示素子は、光ディスクへのアクセス中であることを表示するアクセスランプであることを特徴とするディスクドライブ冷却装置。
【請求項５】
光ディスクに対して記録再生を行うディスクドライブを冷却するためのドライブ冷却用ディスクであって、
前記ドライブで記録再生される光ディスクと略同形状に形状され、保冷材を備えていることを特徴とするドライブ冷却用ディスク。
【請求項６】
請求項５に記載のドライブ冷却用ディスクにおいて、
表面に羽根部が形成されていることを特徴とするドライブ冷却用ディスク。
【発明の詳細な説明】
【０００１】
【発明の属する技術分野】
本発明は、ＣＤ、ＤＶＤ、ＭＯ等の光ディスクに対して記録再生を行うディスクドライブを冷却する装置に関し、また、そのような装置において専用の冷却手段として用いられるドライブ冷却用ディスクに関するものである。
【０００２】
【従来の技術】
光ディスクに対して記録再生を行うディスクドライブにおいては、光ピックアップからのレーザ光照射や、ディスクを駆動するモータでの消費電力などに基因して熱が発生する。この熱によって装置内部の温度が上昇し高温になると、ディスクが変形したり、レーザパワーの制御が正常に行えなくなって、ディスクドライブの性能が低下するという問題が生じる。この対策として、ディスクドライブに冷却用ファンを設け、このファンを回転させることによって、ドライブを冷却することが従来から提案されている。例えば下記の特許文献１〜３には、このような冷却用ファンを備えたディスクドライブが記載されている。
【０００３】
特許文献１に記載のディスクドライブにおいては、装置内部の温度を温度センサにより検出し、温度が所定値以上である場合には、発光ダイオードを点滅表示させて、冷却ファンやダストフィルタの交換が必要なことを報知するようにしている。特許文献２に記載のディスクドライブにおいては、ディスク回転用モータのシャフトにファンを取り付け、温度センサで検知した装置内部の温度が所定値以上になると、上記ファンを回転させて下方から空気を吸引し、送風口から冷却用空気流を放出して発熱箇所を冷却するようにしている。特許文献３に記載のディスクドライブにおいては、形状記憶合金からなるバネを備えた冷却ファン制御用アクチュエータにより、雰囲気温度が一定以上になったときに冷却ファンを駆動して冷却用エアーを導入し、装置内部を冷却するようにしている。
【０００４】
【特許文献１】
特開平５−１４４２５０号公報
【特許文献２】
特開平１０−２６９６８９号公報
【特許文献３】
特開平７−１４２７６号公報
【０００５】
【発明が解決しようとする課題】
しかしながら、上記従来のものにおいては、ドライブ本体に冷却用のファンを配設しなければならず、装置が大型化するとともに、ファンによる空気流だけでは十分な冷却効果が得られないという問題がある。また、ファンを回転させて外気を吸入する際に、外部の塵埃が侵入して、装置故障の原因となる恐れがある。
【０００６】
本発明は、上記課題を解決するものであって、その目的とするところは、ドライブに冷却用ファンを配設しなくても十分な冷却効果が得られ、外部から塵埃が侵入する恐れもないディスクドライブ冷却装置を提供することにある。
【０００７】
【課題を解決するための手段】
本発明に係るディスクドライブ冷却装置は、光ディスクに対して情報の記録再生を行うディスクドライブを冷却するための装置であって、ディスクドライブを冷却するための冷却手段として、当該ドライブで記録再生される光ディスク（ここでいう光ディスクは光磁気ディスクも含む）と略同形状のドライブ冷却用ディスクが用いられる。このドライブ冷却用ディスクには、保冷材が設けられている。また、ディスクドライブは、内部に設けられた温度センサと、ドライブ内の温度上昇を報知する表示素子と、温度センサの測定値に基づき表示素子の表示を制御するとともに、ドライブ冷却用ディスクの回転を制御する制御手段とを備える。そして、制御手段は、温度センサの測定値に基づきディスクドライブ内部の温度が一定以上になると表示素子を点滅もしくは点灯させ、ディスクドライブに装填されたドライブ冷却用ディスクを回転させてディスクドライブを冷却する。
【０００８】
このようにすることで、通常の光ディスクと同じような形状をした冷却専用のディスクを用いてディスクドライブを冷却できるので、ドライブに冷却用ファンを配設する必要がなく、装置が大型化するのを回避できる。また、冷却用ディスクは保冷材を有しているため、十分な冷却効果を得ることができる。さらに、ファンを設けた場合のように外部から塵埃が侵入するおそれもないので、故障原因を排除して装置の信頼性を高めることができる。
【０００９】
また、本発明では、温度センサとして、光ピックアップにおける発光素子の近傍に設けられた光ビームパワー制御用の温度センサが用いられる。この温度センサは、発光素子から発射される光ビームの強度を調節するために、もともとディスクドライブに備わっているものであるため、これを利用することで部品点数が増加するのを抑制することができる。
【００１０】
また、本発明では、温度上昇を報知する表示素子として、光ディスクへのアクセス中であることを表示するアクセスランプが用いられる。このアクセスランプも、もともとディスクドライブに備わっているものであるため、これを利用することで部品点数が増加するのを抑制することができる。
【００１１】
また、本発明に係るドライブ冷却用ディスクは、ドライブで記録再生される光ディスクと略同形状に形状され、保冷材を備えている。このディスクをドライブの冷却専用ディスクとして用いることで、ドライブに冷却用ファンを配設する必要がなく、装置が大型化するのを回避できる。また、冷却用ディスクの保冷材によって十分な冷却効果を得ることができるとともに、外部からの塵埃が侵入するおそれもなくなる。
【００１２】
本発明の好ましい実施形態においては、ドライブ冷却用ディスクの表面に羽根部が設けられる。こうすることで、冷却用ディスクが回転すると、羽根部によって保冷材で冷された空気流が発生し、これが拡散してドライブ内部の熱源に行き渡るので、冷却効果をより一層高めることができる。
【００１３】
【発明の実施の形態】
図１は、本発明が適用されるディスクドライブＡの電気的構成を示したブロック図である。図１において、１はＣＤ、ＤＶＤ、ＭＯ等の記録媒体からなる光ディスク、２は光ディスク１を回転させるディスクモータ、３は光ディスク１へ光ビームを照射するとともにその反射光を受光する光ピックアップ、４は光ビーム（レーザ光）を発射するレーザダイオード、５はレーザダイオード４の近傍に設けられた光ビームパワー制御用の温度センサである。６は光ピックアップ３が光ディスク１から読み取った信号を再生したり、外部から入力される信号を光ディスク１に書き込む信号に変換したりする信号処理部である。７は光ピックアップ３の動きを制御するピックアップ制御部、８はディスクモータ２の回転を制御するディスクモータ制御部である。９はディスクを排出するためのイジェクトボタン等を含む操作部、１０はドライブが光ディスク１にアクセスしていることを表示するＬＥＤ等のアクセスランプ、１１はＲＯＭやＲＡＭ等から構成されるメモリ、１２はディスクドライブＡの各種動作を制御する制御手段としてのＣＰＵである。
【００１４】
図２は、上述したディスクドライブＡに用いられるドライブ冷却用ディスク（以下、単に「冷却用ディスク」という）２０を示した図であって、（ａ）はディスクを裏側からみた平面図、（ｂ）は側面断面図である。この冷却用ディスク２０は、ディスクドライブＡの内部がディスクモータ２で発生する熱やレーザダイオード４からのレーザ光の熱で高温になったときに、ドライブＡに装填されてこれを冷却するための専用ディスクであって、光ディスク１と略同形状をしている。２１は円盤状に形成された合成樹脂からなる本体であって、その内部にはドーナツ状の保冷材２２がモールドにより内蔵されている。保冷材２２としては、例えばゲル剤からなるものが用いられる。２３は冷却用ディスク２０の裏側の表面に形成された羽根部であって、図３の拡大図に示したような形状の凹部２５を備えている。２４はディスクドライブＡのターンテーブルが挿入される円孔であって、本体２１の中央部に設けられている。なお、図示は省略するが、冷却用ディスク２０の内周側には、光ディスク１と同様に光ピックアップ３で読み取りが可能なＴＯＣ（Ｔａｂｌｅ  ｏｆ  Ｃｏｎｔｅｎｔｓ）領域が設けられており、この領域にはディスクが冷却用ディスクであることを識別するための情報が記録されている。
【００１５】
次に、上記のような冷却用ディスク２０を用いてディスクドライブＡを冷却するしくみを説明する。ディスクドライブＡで光ディスク１に対する記録再生を継続すると、前述のようにモータやレーザ光により内部が高温になる。温度センサ５は光ピックアップ３付近の温度を常時測定しており、この温度センサ５の測定値に基づいてドライブ内が所定温度まで上昇したことをＣＰＵ１２が検知すると、アクセスランプ１０が点滅して、ディスクドライブＡが高温状態になっていることをユーザに知らせる。この場合、アクセスランプ１０は、通常のアクセス時に点滅する周期よりも長い周期で、かつ温度上昇の程度に応じた態様で点滅する。例えば、光ディスク装填時の初期温度と現在温度との温度差が１０℃以上になると２秒間隔で点滅し、温度差が１５℃以上になると１秒間隔で点滅する。また、温度差が２０℃以上になると連続点灯した状態となる。このように、アクセスランプ１０の表示態様を、温度上昇の程度に応じて変化させることで、ディスクドライブＡの内部がどの程度高温になっているかを容易に知ることができる。
【００１６】
ユーザは、アクセスランプ１０が点滅または点灯しているのを見て、ディスクドライブＡを冷却するかどうかを決め、冷却する場合は光ディスク１をディスクドライブＡから取り出し、代わって、あらかじめ冷蔵庫等で冷しておいた冷却用ディスク２０をディスクドライブＡへ装填する。冷却用ディスク２０は光ディスク１と略同形状をしているので、そのままトレイに載置してドライブに装填することができる。ディスクドライブＡに冷却用ディスク２０が装填されると、光ピックアップ３によって前述のＴＯＣ領域に記録されている情報が読み取られ、当該情報からディスクが冷却用ディスクであることをＣＰＵ１２が判別すると、自動的にディスクモータ２が駆動されて冷却用ディスク２０が回転する。図２（ａ）の矢印は、回転方向を表している。
【００１７】
冷却用ディスク２０は、内蔵された保冷材２２によって低温度となっているので、冷却用ディスク２０が回転することによって冷気が拡散される。特に、本実施形態においては、冷却用ディスク２０の裏側、すなわちディスクモータ２や光ピックアップ３と対向する側の面に、凹部２５を有する羽根部２３が形成されているので、冷却用ディスク２０の回転とともに、羽根部２３によって冷たい空気流が発生し、これがディスクモータ２や光ピックアップ３などの熱源に行き渡る。この結果、これらの熱源は冷たい空気によって効率良く冷却され、急速に温度が下がる。そして、温度センサ５の測定値に基づいてディスクドライブＡ内部の温度が所定値まで低下したことがＣＰＵ１２により検知されると、ディスクモータ２は自動的に停止するとともに、アクセスランプ１０が消灯してユーザにドライブの温度低下を知らせる。ユーザはこれをみて、操作部９のイジェクトボタンを押すと、トレイがオープンして冷却用ディスク２０が排出される。その後、再び光ディスク１がディスクドライブＡに装填され、通常の記録再生動作が行われる。
【００１８】
図４は、温度測定のプログラムをフローチャートで表したものである。ＣＰＵ１２は、この一連の手順を一定時間間隔で実行する。最初に、ＣＰＵ１２は温度センサ５が測定した温度値に基づいて、初期温度（光ディスク装填時の温度）と現在温度との温度差を検出する（ステップＳ１）。次に、検出した温度差が１０℃以上か否かを判定する（ステップＳ２）。温度差が１０℃未満であれば（ステップＳ２：ＮＯ）、続いて、ドライブに冷却用ディスク２０が装填されていて冷却中か否かを判定する（ステップＳ３）。冷却中でなければ（ステップＳ３：ＮＯ）、ステップＳ４およびステップＳ５を実行せずに終了し、冷却中であれば（ステップＳ３：ＹＥＳ）、温度低下により冷却の必要がなくなったためディスクモータ２を停止させて冷却を終了する（ステップＳ４）。その後、イジェクトボタンが押されることによりトレイをオープンし、冷却用ディスク２０を排出して終了する（ステップＳ５）。
【００１９】
一方、ステップＳ２において、検出した温度差が１０℃以上であれば（ステップＳ２：ＹＥＳ）、次に、温度差が１５℃以上か否かを判定する（ステップＳ６）。温度差が１５℃未満であれば（ステップＳ６：ＮＯ）、続いて、ドライブに冷却用ディスク２０が装填されていて冷却中か否かを判定する（ステップＳ７）。冷却中であれば（ステップＳ７：ＹＥＳ）、ステップＳ８を実行せずに終了し、冷却中でなければ（ステップＳ７：ＮＯ）、アクセスランプ１０を２秒間隔で点滅させる（ステップＳ８）。
【００２０】
ステップＳ６において、検出した温度差が１５℃以上であれば（ステップＳ６：ＹＥＳ）、次に、温度差が２０℃以上か否かを判定する（ステップＳ９）。温度差が２０℃未満であれば（ステップＳ９：ＮＯ）、続いて、ドライブに冷却用ディスク２０が装填されていて冷却中か否かを判定する（ステップＳ１０）。冷却中であれば（ステップＳ１０：ＹＥＳ）、ステップＳ１１を実行せずに終了し、冷却中でなければ（ステップＳ１０：ＮＯ）、アクセスランプ１０を１秒間隔で点滅させる（ステップＳ１１）。
【００２１】
ステップＳ９において、検出した温度差が２０℃以上であれば（ステップＳ９：ＹＥＳ）、次に、ドライブに冷却用ディスク２０が装填されていて冷却中か否かを判定する（ステップＳ１２）。冷却中であれば（ステップＳ１２：ＹＥＳ）、ステップＳ１３を実行せずに終了し、冷却中でなければ（ステップＳ１２：ＮＯ）、アクセスランプ１０を連続点灯状態にする（ステップＳ１３）。
【００２２】
以上述べた実施形態によれば、通常の光ディスク１と略同形状をした冷却ディスク２０をディスクドライブＡにセットし、これを回転させることによってドライブを冷却できるので、ドライブに冷却用ファンを配設する必要がなく、装置が大型化することがない。また、冷却用ディスク２０は保冷材２２を内蔵しているため、ファンによる送風に比べて十分な冷却効果が得られる。特に、冷却用ディスク２０の表面に羽根部２３が形成されているので、ディスク２０の回転に伴って保冷材２２による冷気がドライブ内に行き渡り、冷却効果を一層高めることができる。さらに、ファンを設けた場合のように外部から塵埃が侵入するおそれもなく、内部機構に塵埃が付着して故障をひき起こすのを未然に防止することができる。
【００２３】
また、光ピックアップ３に設けられた温度センサ５は、レーザダイオード４から発射される光ビームの強度を調節するために、もともとディスクドライブＡに備わっているものであり、これを利用することで新たな温度検出用のセンサを設ける必要はなく、部品点数の増加を抑制することができる。さらに、アクセスランプ１０も、ディスクへのアクセス中であることを表示するためにもともとディスクドライブＡに備わっているものであるため、これを高温警告用の表示素子として利用することで、部品点数の増加を抑制することができる。この結果、ディスクドライブＡのハードウエア構成は何ら変更する必要がなく、従来の装置にソフトウエアを追加するだけで簡単に実現することができる。
【００２４】
本発明は、上述した実施形態の他にも種々の形態を採用することができる。たとえば、上記実施形態においては、温度差に応じてアクセスランプ１０の点滅間隔を変えるようにしたが、温度差に応じてアクセスランプ１０の発光色を変えるようにしてもよい。あるいは、点滅間隔と発光色との組合せによって表示態様を変化させるようにしてもよい。
【００２５】
また、上記実施形態においては、温度センサ５の測定値から得られる初期温度と現在温度との温度差に基づいてアクセスランプ１０の表示態様を変えるようにしたが、温度センサ５の測定した現在温度（実温度）に基づいてアクセスランプ１０の表示態様を変えるようにしてもよい。
【００２６】
さらに、上記実施形態では、冷却用ディスク２０に保冷材２２が内蔵されている例を挙げたが、保冷材２２を着脱自在に本体２１に取り付けるようにしてもよい。また、保冷材２２の形状は、図２のような連続したドーナツ状のものに限らず、複数に分断されたものであってもよい。また、冷却用ディスク２０の羽根部２３は片側の面だけでなく、両側の面に設けてもよい。
【００２７】
【発明の効果】
以上のように、本発明によれば、通常のディスクと同じような形状をした専用の冷却用ディスクを用いることにより、冷却用ファンが不要となって装置が大型化するのを回避できる。また、冷却用ディスクの保冷材により十分な冷却効果を得ることができるとともに、外部から塵埃が侵入するおそれもないので装置の信頼性を高めることができる。
【図面の簡単な説明】
【図１】本発明が適用されるディスクドライブの電気的構成を示したブロック図である。
【図２】ドライブ冷却用ディスクを示した図である。
【図３】ドライブ冷却用ディスクの羽根部の拡大図である。
【図４】温度測定のフローチャートである。
【符号の説明】
１    光ディスク
２    ディスクモータ
３    光ピックアップ
４    レーザダイオード
５    温度センサ
１０  アクセスランプ
１２  ＣＰＵ
２０  ドライブ冷却用ディスク
２２  保冷材
２３  羽根部
【図１】
2004265556.tif 000003
【図２】
2004265556.tif 000004
【図３】
2004265556.tif 000005
【図４】
2004265556.tif 000006